(57)【要約】【課題】  記録媒体における記録情報の内容変更にも容易に対応できる記録媒体面印刷装置及び記録媒体面用貼付シールを提供する。【解決手段】  本発明の記録媒体面印刷装置は、情報データを少なくとも１回は書込み可能な記録媒体であって、その少なくとも一面に可逆性感熱記録領域を有する記録媒体を装填可能な記録媒体装填手段と、そのような記録媒体が装填されているときに、その可逆性感熱記録領域に対し、印刷内容を、感熱記録又は感熱消去する印刷手段とを有する。本発明の記録媒体面用貼付シールは、記録媒体の一面に貼付したときに、本発明の記録媒体面印刷装置の印刷手段が感熱記録する対象の記録媒体を形成させる。【選択図】      図１
2005186281.tif 000002
【特許請求の範囲】
【請求項１】
情報データを少なくとも１回は書込み可能な記録媒体であって、その少なくとも一面に可逆性感熱記録領域を有する第１種類の記録媒体を装填可能な記録媒体装填手段と、
上記記録媒体装填手段に第１種類の記録媒体が装填されているときに、その第１種類の記録媒体の可逆性感熱記録領域に対し、印刷内容を、感熱記録又は感熱消去する第１の印刷手段と
を有することを特徴とする記録媒体面印刷装置。
【請求項２】
上記記録媒体装填手段が、情報データを少なくとも１回は書込み可能な記録媒体であって、上記のような可逆性感熱記録領域を表裏面に備えない第２種類の記録媒体をも装填可能なものであり、
上記記録媒体装填手段に第２種類の記録媒体が装填されているときに、その第２種類の記録媒体に対し、印刷内容を、熱転写印刷する第２の印刷手段をさらに有する
ことを特徴とする請求項１に記載の記録媒体面印刷装置。
【請求項３】
上記第１の印刷手段のサーマルヘッドと、上記第２の印刷手段のサーマルヘッドとを共用したことを特徴とする請求項２に記載の記録媒体面印刷装置。
【請求項４】
情報データを少なくとも１回は書込み可能な記録媒体の一面に貼付可能なものであって、上記記録媒体に貼付されたときに、請求項１〜３のいずれかに記載の記録媒体面印刷装置の第１の印刷手段が感熱記録する対象の上記第１種類の記録媒体を形成させることを特徴とする記録媒体面用貼付シール。
【発明の詳細な説明】
【技術分野】
【０００１】
本発明は、記録媒体面印刷装置及び記録媒体面用貼付シールに関し、例えば、光ディスク（ＣＤ−ＲやＣＤ−ＲＷやＤＶＤ−Ｒ等）やフレキシブルディスク等の記録機能に対応できる記録媒体にタイトル等を印刷するものに適用し得るものである。
【背景技術】
【０００２】
ＣＤ−ＲやＣＤ−ＲＷやＤＶＤ−Ｒ等の情報記録に応じられる光ディスクの普及により、記録・再生用の光が照射されない光ディスクの一面（以下、レーベル面と呼ぶ）にタイトル等を印刷する記録媒体面印刷装置が既に提案されている（例えば、特許文献１、特許文献２参照）。
【特許文献１】特開２００３−２８５５０１号公報
【特許文献２】特開２００３−３００３４４号公報  また、周知のように、フレキシブルディスクは、タイトル等を記載した用紙を貼付し得るようになされている。
【発明の開示】
【発明が解決しようとする課題】
【０００３】
従来の記録媒体面印刷装置では、光ディスクに対してタイトル等は固定的に印刷される。記録が１回限りの光ディスクの場合には、上述の従来装置によって印刷されたタイトル等の変更の必要性は生じない。しかし、最近、何回も書換可能の光ディスクも普及しており、タイトル等が印刷された光ディスクの情報が、他の情報に書き換えられることもあり得る。この場合、光ディスクに印刷されたタイトル等と、光ディスクに記録されている情報の内容とが合致しなくなる。なお、光ディスクのレーベル面は、記録再生に関係しない面であるため、その表面処理などに関する規定は存在せず、メーカーによって、表面粗さ等が異なっている。そのため、印刷に不向きな表面特性を有する光ディスクも存在している。
【０００４】
また、フレキシブルディスクにタイトル等を記載した用紙を貼付した場合において、フレキシブルディスクの記録情報を変更したときには、古いタイトル等の上に二重線等の削除線を書き加えた上で貼付用紙の空白部に新たなタイトルを書き加えたり、貼付した用紙を剥がして新たなタイトルを記載した用紙を貼付し直したりして対応する。前者の場合には、用紙は見難いものとなり、後者の場合には、用紙をうまく剥がせず、フレキシブルディスク全体が見難いものとなることもある。
【０００５】
本発明は、以上の点を考慮してなされたものであり、記録媒体における記録情報の内容変更にも容易に対応できる記録媒体面印刷装置及び記録媒体面用貼付シールを提供しようとしたものである。
【課題を解決するための手段】
【０００６】
かかる課題を解決するため、第１の本発明の記録媒体面印刷装置は、情報データを少なくとも１回は書込み可能な記録媒体であって、その少なくとも一面に可逆性感熱記録領域を有する第１種類の記録媒体を装填可能な記録媒体装填手段と、上記記録媒体装填手段に第１種類の記録媒体が装填されているときに、その第１種類の記録媒体の可逆性感熱記録領域に対し、印刷内容を、感熱記録又は感熱消去する第１の印刷手段とを有することを特徴とする。
【０００７】
また、第２の本発明の記録媒体面用貼付シールは、情報データを少なくとも１回は書込み可能な記録媒体の一面に貼付可能なものであって、上記記録媒体に貼付されたときに、第１の本発明の記録媒体面印刷装置の第１の印刷手段が感熱記録する対象の上記第１種類の記録媒体を形成させることを特徴とする。
【発明の効果】
【０００８】
本発明によれば、第１種類の記録媒体が可逆性感熱記録領域を有し、そこに感熱記録（印刷）し感熱消去し得るので、記録媒体における記録情報の内容変更にも容易に対応することができる。
【発明を実施するための最良の形態】
【０００９】
（Ａ）実施形態
以下、本発明による記録媒体面印刷装置及び記録媒体面用貼付シールを、光ディスクの印刷用に適用した一実施形態を図面を参照しながら詳述する。
【００１０】
まず、実施形態の記録媒体面印刷装置（光ディスク面印刷装置）の電気的な全体構成を、図１の機能ブロック図を用いて説明する。なお、この実施形態の記録媒体面印刷装置は、専用機として構築されているものである。
【００１１】
図１において、実施形態の記録媒体面印刷装置は、大きくは、入力部１０、制御部２０及び出力部３０から構成されており、制御部２０が、入力部１０からの情報やその時点の処理段階等に応じた処理を実行し、その処理結果等を出力部３０によって表示出力又は印刷出力させるようになされている。
【００１２】
入力部１０は、詳細の構成は省略するが押下キー（やダイヤルキー）を備えたキー入力部１１や、印刷対象の光ディスクを載置する光ディスク載置部（後述する）の状態などを検出するディスク状態センサ１２や、インクリボンカセットが装填されていることを検出するインク装填センサ１３などを有する。
【００１３】
キー入力部１１は、制御部２０に与える文字コードや各種の制御データを発生するものである。キー入力部１１には、印刷モードキー１１ａや印刷起動キー１１ｂ（専用キーでも良く、ファンクションキーなどと共に用いられる兼用キーでも良い）も設けられている。印刷モードキー１１ａは、可逆性感熱記録印刷か、感熱方式のインク転写印刷かを指定するために用いられる。
【００１４】
出力部３０は、印刷構成と表示構成からなる。印刷構成は、光ディスクのレーベル面に印刷するための構成であり、表示構成は、印刷するための入力中の文字列や、操作ガイダンスメッセージ等を表示するための構成である。
【００１５】
インクリボン送りモータ３１は、例えば、ステッピングモータや直流モータ等でなり、当該装置に装填されている図示しないインクリボンを走行制御するものである。印刷ヘッド部３２は、移動型のサーマルヘッドを有し、装填されている光ディスクに印刷を行なうものである。これらインクリボン送りモータ３１及び印刷ヘッド部３２はそれぞれ、制御部２０の制御下で、第１のモータ駆動回路３３やヘッド駆動回路３４によって駆動される。ヘッド駆動回路３４は、ドットのオンオフ駆動だけでなく、印刷ヘッド部３２の移動駆動も行う。光ディスク送りモータ３５は、例えば、ステッピングモータや直流モータ等でなり、当該装置の光ディスク載置部に載置された光ディスクを進退動するものであり、制御部２０の制御下で、第２のモータ駆動回路３６によって駆動される。
【００１６】
図２及び図３は、印刷に供する第１種類の光ディスク等の説明図であり、図２は、光ディスク載置部に載置された第１種類の光ディスクを示す概略平面図であり、図３は、そのIII−III線に沿った第１種類の光ディスクだけに関する断面図である。
【００１７】
第１種類の光ディスク４０は、光ディスク載置部４１の中央の円形状の凹部に載置され、光ディスク載置部４１と共に、矢印Ｙの方向に進退動可能となされている。
【００１８】
図２及び図３に示す第１種類の光ディスク４０は、元々の光ディスク（第２種類の光ディスク）４２のレーベル面側に、記録媒体面用貼付シール（光ディスク面用貼付シール）４３を貼り付けたものである。記録媒体面用貼付シール４３は、接着層４３ａ、ベース層４３ｂ及び可逆性感熱記録表示層４３ｃを有する。なお、記録媒体面用貼付シール４３は、利用者が任意に元々の光ディスク４２に貼付できるものであり、市販時には、接着層４３ａは図示しない剥離紙で被覆されている。接着層４３ａ、ベース層４３ｂ及び可逆性感熱記録表示層４３ｃは、例えば、透明であり、レーベル面の記載の視認を妨げないものである。可逆性感熱記録表示層４３ｃは、例えば、ロイコ染料系のものであり、表示記録（印刷内容）を加熱により消去し、加熱により表示記録（印刷）を実行できるものである。
【００１９】
可逆性感熱記録表示層４３ｃは、例えば、図２に示すように、タイトル等の中心的な情報を印刷する箇所と、その作成者や記録日時等の書誌的な情報を印刷する箇所との２箇所設けられており、これら２箇所の可逆性感熱記録表示層４３ｃ（４３ｃ−１、４３ｃ−２）は対称的な位置関係にある。なお、可逆性感熱記録表示層４３ｃは、１箇所だけでも良く、また、全面に設けられていても良い。
【００２０】
なお、この実施形態の場合、記録媒体面用貼付シール４３が貼り付けられていない第２種類の光ディスク４２自体も、印刷対象となることができ、この場合にも、第１種類の光ディスク４０の可逆性感熱記録表示層４３ｃが設けられている場所に対応する２箇所の領域について、印刷が可能となされている。
【００２１】
印刷ヘッド部３２のサーマルヘッド３２ａは、矢印Ｘの方向にのみ進退動可能であり、矢印Ｙの方向に複数の発熱素子（図示せず）を並設しているものである。サーマルヘッド３２ａにおける発熱素子の並設幅は、可逆性感熱記録表示層４３ｃの幅に等しいか又はそれ以上に選定されている。光ディスク載置部４１は、サーマルヘッド３２ａの直下に可逆性感熱記録表示層４３ｃが位置する位置で停止可能になされている。利用者が、光ディスク載置部４１に光ディスク４０（又は４２）を載置するが、例えば、光ディスク載置部４１に、位置合わせ用の直線４１ａを記載しておき、利用者が、可逆性感熱記録表示層４３ｃの周囲の境界線をその直線４１ａに一致させることにより適切な載置を実現するようにしても良い。
【００２２】
図２及び図３は、インクリボンカセットが取り外された状態を示している。印刷ヘッド部３２のサーマルヘッド３２ａは、インクリボンカセットが装填されているときも、インクリボンカセットが装填されていないときも、矢印Ｘの方向に進退動しながらの印刷動作（発熱素子毎のオンオフ動作）が可能なものである。なお、インクリボンカセットが装填されているときといないときとで、図２の法線（Ｚ）方向の位置を僅かに変更し、光ディスク４０の表面との距離を、いずれの場合でも同様にするようにしても良い。
【００２３】
図１に戻り、この実施形態の記録媒体面印刷装置の表示部として、例えば所定サイズの文字を数行（例えば５行）に渡って数文字（例えば１５文字）程度表示できる程度の液晶ディスプレイ３７が設けられており、この液晶ディスプレイ３７は、制御部２０の制御下でディスプレイ駆動回路３８によって駆動される。液晶ディスプレイ３７は、例えば、既存のテープ印刷装置におけるものと同様であり、その表示面は、例えば、文字表示領域と、行番号インジケータと、入力文字列に係る各種の属性等を表す属性インジケータとを有する。
【００２４】
制御部２０は、例えばマイクロコンピュータによって構成されており、ＣＰＵ２１、ＲＯＭ２２、ＲＡＭ２３、キャラクタジェネレータＲＯＭ（ＣＧ−ＲＯＭ）２４、入力インタフェース２５及び出力インタフェース２６がシステムバス２７を介して接続されて構成されている。
【００２５】
ＲＯＭ２２は、例えば１又は複数個のＲＯＭチップでなり、ＲＯＭ２２には、各種の処理プログラムや、かな漢字変換用辞書データ等の固定データが格納されている。例えば、文字列の入力処理の実行プログラム２２ａや、印刷処理の実行プログラム（以下、適宜、印刷プログラムと呼ぶ）２２ｂなども格納されている。
【００２６】
ＲＡＭ２３は、例えば１又は複数個のＲＡＭチップでなり、ワーキングメモリとして用いられるものであり、また、ユーザ入力に係る固定データ等も格納するものである。図１では、ＲＡＭ２３として記載しているが、ワーキングメモリや退避メモリとして用いられるＥＥＰＲＯＭ等の他のメモリ素子を含む概念とする。ＲＡＭ２３は、印刷する文字列をドット展開して格納する印刷バッファや、入力文字列などについての表示画像を格納する表示バッファや、印刷や入力に係る文字データ等を格納するテキストバッファ等を有する。
【００２７】
ＣＧ−ＲＯＭ２４は、当該記録媒体面印刷装置に用意されている文字や記号のドットパターンを格納しているものであり、文字や記号を特定するコードデータが与えられたときに対応するドットパターンを出力するものである。なお、表示用と印刷用とで別個のＣＧ−ＲＯＭが設けられていても良い。フォント情報の格納形式は、アウトラインフォント形式及びビットマップフォント形式のいずれであっても良い。
【００２８】
入力インタフェース２５は、入力部１０及び制御部２０間のインタフェースを行なうものであり、出力インタフェース２６は、出力部３０及び制御部２０間のインタフェースを行なうものである。
【００２９】
ＣＰＵ２１は、入力部１０からの入力信号やそのときの処理段階に応じて定まるＲＯＭ２２内の処理プログラムを、ＲＡＭ２３をワーキングエリアとして利用しながら、また、必要ならばＲＯＭ２２やＲＡＭ２３に格納されている固定データなどを適宜用いて処理するものであり、その処理状況や処理結果等を液晶ディスプレイ３７に表示させたり、光ディスクへの印刷を実行させたりするものである。
【００３０】
次に、この実施形態の記録媒体面印刷装置の印刷動作を説明する。記録媒体面印刷装置の印刷動作は、大きくは、感熱記録印刷動作と感熱転写印刷動作とに分かれ、順次説明する。
【００３１】
なお、印刷に供する文字列の入力動作は、テープ印刷装置や印章作成装置等の他の文字情報処理装置とほぼ同様であるので、その詳細説明は省略する。但し、光ディスク４０又は４２への印刷が２箇所について実行されるか否かを利用者に指示させ、２箇所の場合には、各箇所についての文字列を取り込むようになされている。なお、この実施形態の場合、入力時には、可逆性感熱記録印刷か感熱方式のインク印刷かは無関係であり、その情報を入力させることは不要である。
【００３２】
利用者は、可逆性感熱記録表示層４３ｃを有する第１種類の光ディスク４０に対する印刷を希望する場合には、インクリボンカセットを装置から取り外す。また、利用者は、通常は、装置筐体内部に収納されている光ディスク載置部４１を引き出し、その光ディスク載置部４１に第１種類の光ディスク４０を載置した後、光ディスク載置部４１を軽く押す。
【００３３】
このとき、制御部２０の制御下で、第２のモータ駆動回路３６が光ディスク送りモータ３５を制御して、光ディスク載置部４１上の第１種類の光ディスク４０における可逆性感熱記録表示層４３ｃ−１が、印刷ヘッド部３２のサーマルヘッド３２ａに対向する位置に、光ディスク４０を位置させる。なお、光ディスク載置部４１上に光ディスク４０又は４２が載置され、光ディスク載置部４１が移動を始める際には、例えば図示しないチャッキング機構などが光ディスク載置部４１上に光ディスク４０又は４２を安定化させる。
【００３４】
利用者は、その後、印刷モードキー１１ａを用いて可逆性感熱記録印刷を選択すると共に、印刷起動キー１１ｂを操作する。
【００３５】
このとき、ＣＰＵ２１は、図４に示す処理を開始する。そしてまず、ＣＰＵ２１は、インクリボンカセットが装置から取り外されており、しかも、光ディスク載置部４１に光ディスク（４０又は４２）が載置されている、感熱記録印刷が可能な状態か否かを判別する（Ｓ１００）。感熱記録印刷が不可能な状態であれば、エラーメッセージを表示する（Ｓ１０１）。例えば、インクリボンカセットが装置に装填されたままであると、インクリボンカセットを取り外すことを求めるようなメッセージを表示しても良く、光ディスク（４０又は４２）が載置されていなければ、第１種類の光ディスク４０を載置することを求めるようなメッセージを表示しても良い。
【００３６】
感熱記録印刷が可能な状態になっていると、印刷に供する第１番目の文字列が入力されているか否かを判別する（Ｓ１０２）。印刷に供する第１番目の文字列が入力されていなければ、ＣＰＵ２１は、エラーメッセージを表示する（Ｓ１０３）。
【００３７】
印刷に供する第１番目の文字列が入力されていると、ＣＰＵ２１は、印刷ヘッド部３２によって、まず、可逆性感熱記録表示層４３ｃ−１に表示（記載）されている印刷情報を消去させ（Ｓ１０４）、その後、印刷ヘッド部３２を入力文字列に応じて制御して、可逆性感熱記録表示層４３ｃ−１にその文字列を印刷（感熱記録）させる（Ｓ１０５）。
【００３８】
その後、ＣＰＵ２１は、光ディスク載置部４１上の第１種類の光ディスク４０における第２番目の可逆性感熱記録表示層４３ｃ−２が、印刷ヘッド部３２のサーマルヘッド３２ａに対向する位置になるように制御した後（Ｓ１０６）、印刷ヘッド部３２によって、第２番目の可逆性感熱記録表示層４３ｃ−２に表示（記載）されている印刷情報を消去させる（Ｓ１０７）。この消去動作は、第２番目の可逆性感熱記録表示層４３ｃ−２に実際に情報が記載されているか否かを問わずに実行される。
【００３９】
続いて、ＣＰＵ２１は、印刷に供する第２番目の文字列が入力されているか否かを判別する（Ｓ１０８）。印刷に供する第２番目の文字列が入力されていれば、ＣＰＵ２１は、印刷ヘッド部３２をその入力文字列に応じて制御して、可逆性感熱記録表示層４３ｃ−２にその文字列を印刷（感熱記録）させた後（Ｓ１０９）、印刷に供する第２番目の文字列が入力されていなければ、直ちに、光ディスク載置部４１の位置を、光ディスク４０を利用者が取り出させる位置に移動させ（Ｓ１１０）、一連の処理を終了する。利用者が、光ディスク４０を取り出した後、光ディスク載置部４１を軽く押すことにより、光ディスク載置部４１は待機時位置に戻る。
【００４０】
なお、印刷に供する第２番目の文字列が入力されていなくても、第２番目の可逆性感熱記録表示層４３ｃ−２の消去動作を行うようにしたのは、過去の第２番目の文字列が残り、書き換えた第１番目の文字列と矛盾することを避けるためである。
【００４１】
また、利用者は、可逆性感熱記録表示層４３ｃを備えない第２種類の光ディスク４２に対する印刷を希望する場合には、インクリボンカセットを装置から取り外すことなく、通常は、装置筐体内部に収納されている光ディスク載置部４１を引き出し、その光ディスク載置部４１に第２種類の光ディスク４２を載置した後、光ディスク載置部４１を軽く押す。
【００４２】
このときにも、制御部２０の制御下で、第２のモータ駆動回路３６が光ディスク送りモータ３５を制御して、光ディスク載置部４１を第１の所定位置に位置させる。この位置は、仮に、光ディスク載置部４１上に第１種類の光ディスク４０が載置されている場合に、可逆性感熱記録表示層４３ｃ−１をサーマルヘッド３２ａに対向させた場合の光ディスク載置部４１の位置と同一である。
【００４３】
利用者は、その後、印刷モードキー１１ａを用いて感熱方式のインク印刷を選択すると共に、印刷起動キー１１ｂを操作する。
【００４４】
このとき、ＣＰＵ２１は、図５に示す処理を開始する。そしてまず、ＣＰＵ２１は、インクリボンカセットが装置に装填されており、しかも、光ディスク載置部４１に光ディスク（４０又は４２）が載置されている、感熱方式のインク印刷が可能な状態か否かを判別する（Ｓ２００）。感熱方式のインク印刷が不可能な状態であれば、エラーメッセージを表示する（Ｓ２０１）。例えば、インクリボンカセットが装填されていなければ、インクリボンカセットの装填を求めるようなメッセージを表示しても良く、光ディスク（４０又は４２）が載置されていなければ、第２種類の光ディスク４２を載置することを求めるようなメッセージを表示しても良い。
【００４５】
感熱方式のインク印刷が可能な状態になっていると、印刷に供する第１番目の文字列が入力されているか否かを判別する（Ｓ２０２）。印刷に供する第１番目の文字列が入力されていなければ、ＣＰＵ２１は、エラーメッセージを表示する（Ｓ２０３）。
【００４６】
印刷に供する第１番目の文字列が入力されていると、ＣＰＵ２１は、印刷ヘッド部３２を入力文字列に応じて制御して、第２種類の光ディスク４２にその文字列を印刷（インク転写）させる（Ｓ２０４）。
【００４７】
その後、ＣＰＵ２１は、印刷に供する第２番目の文字列が入力されているか否かを判別する（Ｓ２０５）。印刷に供する第２番目の文字列が入力されていれば、ＣＰＵ２１は、第２番目の文字列を印刷できる第２種類の光ディスク４２の位置が、印刷ヘッド部３２のサーマルヘッド３２ａに対向する位置になるように光ディスク載置部４１を制御した後（Ｓ２０６）、印刷ヘッド部３２を第２番目の入力文字列に応じて制御して、第２種類の光ディスク４２にその文字列を印刷（インク転写）させる（Ｓ２０７）。
【００４８】
このような印刷が終了した後、又は、印刷に供する第２番目の文字列が入力されていなければ直ちに、ＣＰＵ２１は、光ディスク載置部４１の位置を、光ディスク４２を利用者が取り出させる位置に移動させ（Ｓ２０８）、一連の処理を終了する。
【００４９】
なお、利用者が、光ディスク４２を取り出した後、光ディスク載置部４１を軽く押すことにより、光ディスク載置部４１は待機時位置に戻る。
【００５０】
また、サーマルヘッド３２ａの各発熱素子に対する温度制御は、例えば、第１種類の光ディスク４０に感熱記録する場合と、第２種類の光ディスク４２に感熱転写印刷する場合とで異なり、第１種類の光ディスク４０に感熱記録する場合と消去する場合とで異なっている。
【００５１】
上記実施形態によれば、内部の記録情報が書き換えられる可能性が高い光ディスクには、記録媒体面用貼付シール４３を貼付しておくことにより、記録情報の書換に応じたタイトル等の表面の印字内容を変化させることができ、記録情報の内容と表面の印字内容とを常に合致させることができる。
【００５２】
また、光ディスクのレーベル面が、インク転写に不向きの場合にも、記録媒体面用貼付シール４３を貼付することで、記録情報の内容を表すことができる文字列を印刷させることができる。
【００５３】
さらに、第１種類及び第２種類の光ディスクの表面に同一装置で印刷できるので、当該装置の汎用性が非常に高くなっている。
【００５４】
このような可逆性感熱記録表示層への印刷が可能でも、感熱転写方式の印刷を実行するサーマルヘッド３２ａをそのまま適用するようにしているので、機能追加の割りには構成追加を最少限にしている。
【００５５】
（Ｂ）他の実施形態
上記実施形態の説明においても、種々変形実施形態に言及したが、さらに、以下に例示するような変形実施形態を挙げることができる。
【００５６】
上記実施形態では、利用者が、可逆性感熱記録印刷か感熱方式のインク転写印刷かに応じて、インクリボンカセットを着脱するものを示したが、インクリボンカセットの自動移動機構を設け、可逆性感熱記録印刷の場合には、印刷に関与しない第１の位置に位置させ、感熱方式のインク転写印刷の場合には、印刷に関与する第２の位置に位置させるようにしても良い。
【００５７】
また、上記実施形態では、可逆性感熱記録印刷か感熱方式のインク転写印刷かを、利用者がキー入力で指示するものを示したが、装置が自動的に判別するようにしても良い。例えば、印刷起動キーが操作された際に、インクリボンカセットが装填されていれば感熱方式のインク転写印刷、インクリボンカセットが装填されていれば可逆性感熱記録印刷と判別するようにしても良い。また例えば、記録媒体面用貼付シール４３の一部にそのことを表すバーコード等のコードを印刷しておき、そのようなコードが読み取れれば可逆性感熱記録印刷、読み取れなければ感熱方式のインク転写印刷と判別するようにしても良い。さらに例えば、可逆性感熱記録表示層４３ｃが存在するであろう位置に光線を照射し、その反射光の所定特性を分析して、可逆性感熱記録表示層４３ｃの有無を判別して印刷モードを判別するようにしても良い。
【００５８】
上記実施形態では、記録媒体面用貼付シール４３を利用者が貼付することにより、第１種類の光ディスク４０を形成させるものを示したが、光ディスクのメーカーサイドで記録媒体面用貼付シール４３を貼付して出荷するようにしても良く、また、記録媒体面用貼付シール４３を貼付するのではなく、光ディスクのレーベル面側に、当初より薄膜処理等で、可逆性感熱記録表示層４３ｃを設けるようにしても良い。後者の場合には、基準セクタに対して可逆性感熱記録表示層４３ｃを所定の位置に設け、印刷実行時に、記録情報の読み取りから基準セクタを認識して、可逆性感熱記録表示層４３ｃを位置決めるようにしても良い。
【００５９】
なお、可逆性感熱記録表示層４３ｃの上に、インク転写の印刷を実行するようにしても良い。この場合における、感熱記録か感熱転写かの自動判別は、例えば、インクリボンカセットの装填有無で行うようにすれば良い。
【００６０】
また、上記実施形態では、１枚の光ディスク４０が可逆性感熱記録表示層４３ｃを２箇所有するものを示したが、１箇所や３箇所以上有するものであっても良い。キー入力等で、可逆性感熱記録表示層４３ｃの箇所数を指定するようにすれば良い。可逆性感熱記録表示層４３ｃを１箇所有する場合においては、他の所定の位置又は任意の位置に感熱転写印刷を実行可能とするようにしても良い。
【００６１】
さらに、上記実施形態では、２箇所の可逆性感熱記録表示層４３ｃ−１及び４３ｃ−２を有する場合において、双方に印刷するか、表示層４３ｃ−１のみに印刷するかの２種類の印刷が可能であったが、表示層４３ｃ−２のみに印刷する態様も認めるようにしても良い。
【００６２】
また、上記実施形態では、光ディスクを載置方式で位置決めしたり搬送したりするものを示したが、他の方式で、光ディスクを位置決めしたり搬送したりしても良いことは勿論である。
【００６３】
さらに、上記実施形態では、可逆性感熱記録表示層４３ｃに対しては、書換のみ（書換時の消去を含む）が可能なものを示したが、可逆性感熱記録表示層４３ｃに表示されている記載内容の消去だけを行う動作モードを設けるようにしても良い。この場合にも、サーマルヘッド３２ａによる加熱動作等が行われる。
【００６４】
さらに、上記実施形態では、専用機としての記録媒体面印刷装置を示したが、パソコンとそれに接続されたプリンタとで記録媒体面印刷装置を構成するようにしても良い。ここで、プリンタが、例えば、上記実施形態の機構回りの要素を具備するようにすれば良い。
【００６５】
パソコンとそれに接続されたプリンタとで記録媒体面印刷装置を構成した場合、例えば、インターネットを介して、ＨＴＭＬ言語で記述されたコンテンツを受信して光ディスクに記録すると共に、その光ディスクがプリンタに装填された際に、タグ等から自動認識したタイトルを、可逆性感熱記録表示層４３ｃに感熱印刷するようなこともできる。ここで、光ディスクのアクセス装置にプリンタ機能をも持たせた場合には、光ディスクのコンテンツ記録とタイトル印刷とを同一装置で行うことができる。
【００６６】
上記実施形態では、感熱転写印刷がモノクロ印刷であることを前提として説明したが、感熱転写印刷がカラー印刷であっても良く、この際、色成分毎のインクリボンカセットを利用者に交換させながらの印刷となる。
【００６７】
上記実施形態では、表面の印刷に供する記録媒体が光ディスクであるものを示したが、フレキシブルディスク等の他の記録媒体であっても良い。フレキシブルディスクの場合、記録媒体面用貼付シールは、例えば、フレキシブルディスクに貼付する一般的なシールと同じ大きさで形成し、フレキシブルディスクに記録媒体面用貼付シールを貼付した際に、例えば、可逆性感熱記録表示層が表面だけに位置するように、記録媒体面用貼付シールの可逆性感熱記録表示層の位置を決定することが好ましい。
【００６８】
また、上記実施形態の記録媒体面印刷装置は、可逆性感熱記録印刷、及び、感熱方式のインク転写印刷の双方に対応できるものを示したが、可逆性感熱記録印刷だけに対応できるように、記録媒体面印刷装置を構成しても良い。
【図面の簡単な説明】
【００６９】
【図１】実施形態の記録媒体面印刷装置の電気的構成を示すブロック図である。
【図２】実施形態の光ディスク載置部に載置された第１種類の光ディスクを示す概略平面図である。
【図３】図２のIII−III線に沿った第１種類の光ディスクだけに関する断面図である。
【図４】実施形態の記録媒体面印刷装置の第１の印刷動作を示すフローチャートである。
【図５】実施形態の記録媒体面印刷装置の第２の印刷動作を示すフローチャートである。
【符号の説明】
【００７０】
１０…入力部、１１…キー入力部、２０…制御部、２１…ＣＰＵ、２２…ＲＯＭ、２３…ＲＡＭ（ＥＥＰＲＯＭを含む概念）、３０…出力部、３２…印刷ヘッド部、３２ａ…サーマルヘッド、３７…液晶ディスプレイ、４０…記録媒体面用貼付シールを貼付した光ディスク、４１…光ディスク載置部、４２…記録媒体面用貼付シールを貼付する前の光ディスク、４３…記録媒体面用貼付シール、４３ｃ−１、４３ｃ−２…可逆性感熱記録表示層。
【図１】
2005186281.tif 000003
【図２】
2005186281.tif 000004
【図３】
2005186281.tif 000005
【図４】
2005186281.tif 000006
【図５】
2005186281.tif 000007